(57)【要約】      （修正有）【課題】様々な規格のマットレスや敷布団などとの着脱作業を容易にし、耐久性にも優れた敷きパッドを提供する。【解決手段】敷きパッドは、布団５やベッドの上面に戴置され、パッド体２と、パッド体の相互に対向する一対の第１辺および第１辺に隣接して相互に対向する一対の第２辺にそれぞれ端部６が固設され、パッド体の４隅に斜めに架設される複数本のゴム帯３と、ゴム帯の各々の裏側に、少なくとも一対の互いに係脱自在な雄要素と雌要素とを有する留具であるスナップボタン４と、を備える。【選択図】図１
0003218912.tif 000002
【実用新案登録請求の範囲】
【請求項１】
布団やベッドの上面に戴置される敷きパッドであって、パッド体と、
前記パッド体の相互に対向する一対の第１辺および前記第１辺に隣接して相互に対向する一対の第２辺にそれぞれ端部が固設されることにより、前記パッド体に架設される複数本の取付帯と、
前記取付帯の各々に設けられ、少なくとも一対の互いに係脱自在な雄要素および雌要素を有する留具と、
を備え、前記取付帯の全長が前記端部の距離より長く設定される敷きパッド。
【請求項２】
布団やベッドの上面に戴置される敷きパッドであって、パッド体と、
前記パッド体の相互に対向する一対の第１辺にそれぞれ端部が固設されるか、または前記第１辺に隣接して相互に対向する一対の第２辺にそれぞれ端部が固設されることにより、前記パッド体に架設される複数本の取付帯と、
前記取付帯の各々に設けられ、少なくとも一対の互いに係脱自在な雄要素および雌要素を有する留具と、
を備え、前記取付帯の全長が前記端部の距離より長く設定される敷きパッド。
【請求項３】
前記留具は、前記取付帯の裏面にて係脱する請求項１または２に記載の敷きパッド。
【請求項４】
前記留具は、スナップボタンである請求項１ないし３のいずれかに記載の敷きパッド。
【考案の詳細な説明】
【技術分野】
【０００１】
本考案は、布団またはベッドに着脱自在に取り付けられる敷きパッドに関する。
【背景技術】
【０００２】
特許文献１に記載の考案は、ベッドパッドの四隅部の一方の側辺に帯状片の１端を取付け、この帯状片をマットレスまたは敷布団の角部下面へ巻き付けるようにしてくぐらせた状態で、その先端を、ベッドパッド四隅部のコーナーを挟んだ他方の側に取り付けた帯状片または係止部に係合させて、前記ベッドパッドをマットレスまたは敷布団に装着するようにするベッドパッドである。
【先行技術文献】
【特許文献】
【０００３】
【特許文献１】実登３０５７８６１号公報
【考案の概要】
【考案が解決しようとする課題】
【０００４】
しかしながら、特許文献１に記載の考案は、ベッド用のマットレスのような厚さを事前に把握できる場合には、ベッドパッドをベッドに係止する帯状片のボタンとボタン穴が係合する位置をあらかじめ計測しておくことにより、ボタンとボタン穴の位置を一致させることができるが、厚さを事前に把握できないマットレスや、敷き布団のようにいろいろな厚みがあるものと係止する場合には、ボタンとボタン穴の位置をあらかじめ定めておくことができず、そのような場合には不十分なものであった。
【０００５】
とりわけ、帯状片が布製の場合には、一般的には布の伸縮性が十分ではないので、ボタンとボタン穴とを係合させようとしても帯状片の長さの調節ができず、係合が困難であった。
【０００６】
このような不都合を避けるため、帯状片に伸縮性のあるゴムバンドを用いると、ベッドパッドをマットレスや敷布団に装着して使用する際に、ゴムバンドを強く引っ張って係止したり、マットレス等に装着された後は、使用中、常に強く引っ張られた状態にあるため、使用による疲弊によりゴムバンドの弾性が比較的短い期間で失われ、すぐに伸びきってしまったり切れたりして使いものにならなくなる等の欠点があった。
【０００７】
敷きパッドは、人体の直下に敷いて使用するものであり、季節の変化や気温に応じて、冬は暖かく、夏は涼感が得られるなど、より快適な睡眠を得るために用いられる。一方、睡眠中の発汗作用による汗を大量に吸収するため、衛生的に管理する必要があり、洗濯や乾燥は欠かせない。洗濯や乾燥の都度、敷きパッドをマットレスや布団から着脱する作業は煩雑であるため、敷きパッドを係止する手段は操作がしやすく、しかも耐久性のあるものが求められる。
【０００８】
そこで、本考案は上記問題に鑑み、様々な規格のマットレスや敷布団などとの着脱作業を容易にし、耐久性にも優れた敷きパッドを提供することを課題とする。
【課題を解決するための手段】
【０００９】
上記課題を解決するために、請求項１に記載の考案は、布団やベッドの上面に戴置される敷きパッドであって、パッド体と、前記パッド体の相互に対向する一対の第１辺および前記第１辺に隣接して相互に対向する一対の第２辺にそれぞれ端部が固設されることにより、前記パッド体に架設される複数本の取付帯と、前記取付帯の各々に設けられ、少なくとも一対の互いに係脱自在な雄要素および雌要素を有する留具とを備え、前記取付帯の全長が前記端部の距離より長く設定されることを特徴とする。
【００１０】
上記考案において、前記取付帯は、例えば、一方の端部が前記パッド体の前記第１辺に、他方の端部が前記第２辺に固設されることにより、前記取付帯は、前記パッド体の裏面の４隅に、前記パッド体のコーナーを挟んで隣り合う二辺にまたがって斜めに架設され、前記パッド体の４隅に弧状に設けられる。前記弧状の取付帯を布団やベッドの長手方向の辺および短手方向の辺に係合させることで、本考案の敷きパッドを布団やベッドと係合させることができる。
【００１１】
上記考案において、前記取付帯は伸縮性のあるバンドが好ましいが、それ以外のものであってもよい。伸縮性のあるバンドは、布団やベッドの厚さに対する敷きパッドの適合性を向上させるとともに、前記パッド体を布団やマットレスに係合する際の操作性を向上させ、作業内容の軽減と作業時間の短縮に資する。
【００１２】
上記考案において、前記留具は、前記取付帯に複数設けることが好ましい。前記留具を複数設ける場合は、前記取付帯の長手方向の延長を多段階に調整することができ、取付帯の伸縮性に頼らずに取付帯の長さを調整することができる。
【００１３】
請求項２に記載の考案は、前記取付帯が前記パッド体の相互に対向する一対の第１辺にそれぞれ端部が固設されるか、または前記第１辺に隣接して相互に対向する一対の第２辺にそれぞれ端部が固設されることにより、前記パッド体に架設されることを特徴とする。
【００１４】
上記考案において、前記取付帯のそれぞれの端部が前記パッド体の相互に対向する辺に固設されることから、前記取付帯は、前記パッド体の裏面の長手方向または短手方向に平行に架設される。
【００１５】
上記考案は、前記パッド体を取り付ける布団などの面積が小さいか、厚さが薄いか、構造が柔軟かなどの理由により、布団などの４隅のコーナー部が前記パッド体を十分に保持できない場合にも、前記パッド体と布団などとを安定して係合させることができる。
【００１６】
請求項３に記載の考案は、前記留具が前記取付帯の裏面にて係脱することを特徴とする。前記留具を前記取付帯の裏面で係脱することにより、敷パッドを布団やマットレスに着脱する際の操作性を向上させ、作業内容の軽減と作業時間の短縮を図ることができる。
【００１７】
請求項４に記載の考案は、前記留具がスナップボタンであることを特徴とする。前記スナップボタンの雄要素と雌要素とが前記取付帯の長手方向において離間して設けられる。前記スナップボタンは、前記雄要素と前記雌要素の係脱が容易で、敷パッドを布団やマットレスに取り付ける際の作業内容の軽減と作業時間の短縮を図ることができる。
【００１８】
上記考案において、前記雄要素と前記雌要素との離間距離は、前記スナップボタンの前記雄要素と前記雌要素の数により異なる。例えば、一対のスナップボタンを設ける場合は、前記雄要素および前記雌要素の間隔は、例えば、前記取付帯の長さ方向の距離の３０〜６０％、好ましくは４０％〜５０％の間隔で設ける。二対のスナップボタンを設ける場合は、前記雄要素および前記雌要素の間隔は、一対目は前記取付帯の全長（長さ方向の端部６間の距離）の３０〜６０％、好ましくは４０％〜５０％の間隔で設ける。二対目は前記取付帯の全長（長さ方向の端部６間の距離）の１０〜２５％、好ましくは１５％〜２０％の間隔で設けることが好ましい。
【考案の効果】
【００１９】
以上のとおり、本考案によると、厚さや大きさなど様々な規格のマットレスや布団に対しても着脱作業が容易で、作業内容の軽減と作業時間の短縮を図ることができ、また耐久性にも優れた敷きパッドを提供できる。
【図面の簡単な説明】
【００２０】
【図１】本考案による実施例１の敷きパッド１を布団・マットレス５に取り付けた状態を示す斜視図である。使用面を下側にして示している（以下、特に断りの無い限り同様である）。
【図２】同実施例の敷きパッド１の平面図である。
【図３】本考案による実施例１および実施例２の敷きパッド１および２０１の断面図である。
【図４】本考案による実施例１の取付帯３の拡大図である。
【図５】同実施例の取付帯３の係合状態を示す拡大図である。
【図６】本考案による実施例１および実施例２の取付帯３および２０３の係合状態を示す断面図である。
【図７】本考案による実施例１の取付帯３に複数のスナップボタン４を設けた状態を示す拡大図である。
【図８】本考案による実施例２の敷きパッド２０１を布団・マットレス２０５に取り付けた状態を示す斜視図である。
【図９】同実施例の敷きパッド２０１の平面図である。
【考案を実施するための形態】
【００２１】
本考案の好適な実施例１による敷きパッド１について図１〜図７を参照して説明する。敷きパッド１は、図１〜図４に示すとおり、柔軟な布地からなるパッド体２と、パッド体２の４隅のコーナーに架設される４本の取付帯であるゴム帯３と、ゴム帯３の各々の裏面に設けられる留具であるスナップボタン４とを備えた敷きパッドで、布団・マットレス５に戴置して使用する。以下、各部について説明する。
【００２２】
パッド体２は、図１に示すとおり、布団・マットレス５への取付け状態において布団・マットレス５の少なくとも上面（図１における底面）を被覆する大きさのものである。本実施例では１００×２０５（ｃｍ）を例示するが、使用する布団・マットレス５の大きさに応じて適宜選択し得るものである。パッド体２は、図２および図３に示すとおり、人体との接触面となる表地２１と、布団・マットレス５との接触面となる裏地２２と、これらの間に充填される中綿２３と、縁取りをするバイアステープ２４とを備える。図示は省略するが、表地２１、中綿２３、裏地２２は、使用による生地のずれが生じないよう一体的にキルティング加工を施してある。表地２１はナイロンを、裏地２２はポリプロピレンを、中綿２３はポリエステルを例示できる。その他の材質として、綿、絹、麻、ウール等の天然繊維やアクリル、レーヨン等の合成繊維を用いることができる。また、季節によって好適な素材を用いることができる。例えば、夏期には接触冷感素材を、冬季には吸湿発熱素材を用いることができる。また、生地としてガーゼ、タオル地、起毛生地、ワッフル織、ちりめん、またはその他の織物、編物、不織布等の布帛を用いることができる。
【００２３】
ゴム帯３は、図２に示すとおり、パッド体２の相互に対向する一対の第１辺のいずれか一辺および第１辺に隣接して相互に対向する一対の第２辺のいずれか一辺の中点から架設されるコーナーに近い位置に、ゴム帯３のそれぞれの端部６が縫合して固設され、パッド体２の裏地２２側に架設される。端部６は四隅から辺長の２５％〜４０％が例示される。ゴム帯３の端部６は、裏地２２とバイアステープ２４との間に挟持して縫合される。ゴム帯３は、パッド体２の裏面に、４隅のコーナーを挟んで隣り合う二辺にまたがって架設される。パッド体２の４隅に、弧状のゴム帯３が設けられ、パッド体２の一部とゴム帯３から環状体が構成される。ゴム帯３の全長は、接続する一対の端部６の距離よりも長く設定されているので、スナップボタン４が係合するときには、ゴム帯３に環状の余剰部分７が生じる。ゴム帯３の全長に対する、端部６間の距離の比率は３０％〜６０％、好ましくは３５％〜５５％の間の適宜の数値が例示される。ゴム帯３を布団・マットレス５の隣り合う長手方向の辺および短手方向の辺と係合させることで、敷きパッド１と布団・マットレス５とを係合させる（図１）。
【００２４】
本実施例では、取付帯にゴム帯を例示したがこれに限らず、伸縮性を有する布帯を用いることができる。また、伸縮性を有しない布帯を用いてもよい。
【００２５】
留具としてのスナップボタン４は、図６に示すとおり、互いに係脱自在な雄要素４１および雌要素４２からなる押留ボタンである。雄要素４１および雌要素４２は、その係合部がゴム帯３の裏側において端部６から適宜、離間して設けられる（図２）。例えば、端部６と雄要素４１の間隔１７ｃｍ、端部６と雌要素４２の間隔１７ｃｍ、雄要素４１と雌要素４２の間隔３２ｃｍである。雄要素４１と雌要素４２を係合した状態では、ゴム帯３に余剰部分７が生じる。本実施例では雄要素４１および雌要素４２の間隔は、適宜ゴム帯３の伸縮力等に合わせて、ゴム帯３の全長に対する適宜の割合、例えば、３０〜６０％、好ましくは４０％〜５０％の間隔で設ける。本実施例では、１本のゴム帯３に対して一対の雄要素４１および雌要素４２をそれぞれ１つずつ設けているが、雄要素４１または雌要素４２のいずれか一方、または両方をゴム帯３の長さ方向において複数個設けてもよい（図７参照）。複数個設けることでゴム帯３の長さを多段階に調整でき、パッド体２を装着できる布団・マットレス５のサイズに対する許容度が増す。雄要素４１および雌要素４２の間隔を異ならせてもよい。例えば、図７に示す通り、二対のスナップボタン４を設ける場合の雄要素４１および雌要素４２の間隔は、一対目はゴム帯３の全長（長さ方向の距離）の３０％〜６０％、好ましくは４０％〜５０％の間隔で設けることが好ましく、二対目はゴム帯３の全長（長さ方向の距離）の１０〜２５％、好ましくは、１５％〜２０％の間隔で設けることが好ましい。
【００２６】
本実施例では、留具としてスナップボタンを例示したがこれに限られず、面ファスナーを用いてもよい（図示しない）。面ファスナーは、互いに係脱自在な留具の雄要素および雌要素からなる。雄要素および雌要素は取付帯の裏側において、所定の間隔をもって設けられる。このほか留具は、カギホック、ボタン、ホックなどを使用してもよい（図示しない）。留具として面ファスナーを用いると、取付帯の長さを無段階に、より広範囲の長さに調整でき、使用者の希望に応じてより細かく調整することができる。
【００２７】
本考案の実施例１による敷きパッド１の使用について説明する。図１は、敷きパッド１の使用状態を使用面を下側にして示している。敷きパッド１を布団・マットレス５に取り付ける際、敷きパッド１を布団・マットレス５の上面に戴置し、パッド体２の４隅に弧状に設けたゴム帯３を布団・マットレス５の４隅のコーナーに潜らせて、弧状のゴム帯３を布団・マットレス５の隣り合う長手方向の辺および短手方向の辺に係合させてパッド体２を布団・マットレス５に取り付ける。
【００２８】
敷きパッド１を取り付ける前に、あらかじめゴム体３に設けたスナップボタン４の雄要素４１および雌要素４２を解除しておく（図２）。これによりゴム体３に十分な延長を確保することができ、ゴム体３を布団・マットレス５の４隅のコーナーに取り付ける際に、ゴム体３の輪になった部分を強く引っ張って係止する必要がないため、ゴム体３が、取り付けの際に疲弊して伸びきってしまったり、切れたりして使いものにならなくなったりする恐れがない。
【００２９】
ゴム体３の輪を布団・マットレス５の４隅のコーナー下面をくぐらせた後に、留具のスナップボタン４の雄要素４１および雌要素４２を嵌合することで、環状の余剰部分７が設けられ、ゴム体３の弾性を活かし、また強い引っ張りによる疲弊を防ぎながらパッド体２を布団・マットレス５に係止する。図１ではスナップボタン４の雄要素４１および雌要素４２が嵌合する位置は、布団・マットレス５の下面を例示するが、布団・マットレス５の側面であってもよく、適宜操作のしやすい位置に配置してよい。
【００３０】
敷きパッド１を布団・マットレス５から取り外す際には上記と逆の手順で行う。この際にも留具のスナップボタン４の雄要素４１および雌要素４２の係合を解除することで、ゴム体３に十分な延長を確保することができ、ゴム体３の輪になった部分を強く引っ張って取り外す必要がないため、敷きパッド１を取り外す際にゴム体３が、疲弊して伸びきってしまったり、切れたりして使いものにならなくなったりする恐れがない。
【００３１】
敷きパッド１は、人体に直接触れるため、汗などによる汚れが避けられない。このため、衛生的に使用するためには頻繁な洗濯が必要であるが、敷きパッド１の布団・マットレス５への取り付けおよび取り外しの際にゴム体３にかかる負荷を、留具のスナップボタン４の雄要素４１および雌要素４２の解除により容易に軽減でき、敷きパッド１自体の寿命も長くなり、経済的である。また、より厚みのある布団やマットレスに使用する場合には雄要素４１および雌要素４２を解除したままにしておけば、装着中（使用中）にもゴム体３にかかる負荷を軽減できる。
【００３２】
本実施例では、ゴム体３の留具のスナップボタン４の雄要素４１または雌要素４２を一対設ける場合を例示するが、スナップボタン４の雄要素４１または雌要素４２のいずれか一方、または両方を複数個設けてもよい（図７）。複数個設けることで、ゴム体３の延長を簡単に、最適の長さに調整できる。敷きパッド１が布団・マットレス５に装着されている間も、ゴム体３が常に強く引っ張られる状態を避けることができる。このため、ゴム体３の弾性が長期間維持でき、経済的である。
【００３３】
また、長期間の使用によりゴム帯３がヘタってしまった場合にもヘタリに合わせてゴム帯３の長さを短くすることができる。ゴム帯３の長さの調整は、スナップボタン４の係脱というワンタッチにより簡単に行うことができる。
【００３４】
本考案の実施例１による敷きパッド１の効果について説明する。敷きパッド１は、ゴム帯３の留具のスナップボタン４の雄要素４１または雌要素４２の係脱により布団・マットレス５への取付けを容易に行うことができ、作業内容および作業時間の軽減を図ることができる。
【００３５】
また、スナップボタン４の係脱により、ゴム帯３の長さを段階的に調整することができる（図１および図２、図４〜図７参照）。これにより、敷きパッド１の装着、取り外しの際のゴム体３への負荷、および、装着中のゴム体３への負荷をともに軽減でき、敷きパッド１自体の寿命も長くなり、経済的である。また、厚さの異なる布団・マットレス５についても容易に対応できる。
【００３６】
また、長期間の使用によりゴム帯３にヘタリが生じてしまった場合は、ヘタリに合わせてゴム帯３を短くすることができる。これにより敷きパッド１を長期間使用することができ、経済的である。
【００３７】
本実施例では、留具のスナップボタン４の雄要素４１または雌要素４２を一対設ける場合を例示するが、スナップボタン４のうち、雄要素４１または雌要素４２のいずれか一方、または両方を複数個設けることとすれば、ゴム帯３の長さ調整を多段階に行うことができ、厚さの異なる布団・マットレス５への装着の許容度がさらに増す（図７）。
【００３８】
本実施例ではパッド体２を１００×２０５（ｃｍ）の大きさとしたが、このような多段階の調整は、パッド体２を上記以外の大きさとして例えばダブルサイズの布団・マットレス５に用いる場合等にも好適である。また、ゴム帯３とパッド体２は、敷きパッド１が自然状態において平面状となり、収納に便利である（図２）。
【００３９】
以下、本考案の実施例２による敷きパッド２０１について図３、図６、図８および図９を参照して説明する。各構成に付す符合は実施例１におけるものの２００番台とし、実施例１と共通する点についてはこれを援用し、説明を省略する。
【００４０】
実施例２では、ゴム帯２０３は、図９に示すとおり、パッド体２０２の対向する二つの辺にそれぞれ端部２０６が縫合して固設され、パッド体２０２の裏地側に架設される。ゴム帯２０３の端部２０６は、裏地２２２とバイアステープ２２４との間に挟持して縫合される。ゴム帯２０３はパッド体２０２の二つの対向する端辺に架設されることにより、弧状に設けられる。ゴム帯２０３は互いに離間しつつ平行に設けることが好ましい。本実施例ではゴム帯２０３は３本設けられるが、２本でも、４本以上でもよい。
【００４１】
布団・マットレス２０５の面積が小さいか、厚さが薄いか、構造が柔軟かなどの理由により、ゴム帯２０３を布団・マットレス２０５の４隅のコーナー下面に潜らせてパッド体２０２を取り付けた場合に、横臥する人が寝返りをうつなどした際に、布団・マットレス２０５の４隅のコーナー部がパッド体２０２を保持できないことがある。実施例２は、このようなときに、パッド体２０２の二つの対向する端辺に架設された弧状に設けられたゴム帯２０３を布団・マットレス２０５の下面に潜らせてパッド体２０２を取り付けることにより、布団・マットレス２０５の全体でパッド体２０２を保持することができ、パッド体２０２のずれを防ぐことができる。
【００４２】
敷きパッド２０１は、敷きパッド２０１の使用面を下にして床に置き、架設された弧状のゴム帯２０３を広げて、パッド体２０２とゴム帯２０３で構成される環の中を布団・マットレス２０５を通して布団・マットレス２０５に取り付けてもよい（図８および図９）。
【００４３】
敷きパッド２０１を取り付ける前に、あらかじめゴム体２０３に設けたスナップボタン２０４の雄要素２４１および雌要素２４２を解除しておく（図９）。これによりゴム体２０３に十分な延長を確保することができ、布団・マットレス５をパッド体２０２とゴム帯２０３で構成される環の中に通す際の操作がしやすくなる（図８）。
【００４４】
布団・マットレス２０５のサイズが小さい場合は、スナップボタン２０４の雄要素２４１および雌要素２４２を嵌合し、ゴム帯２０３の長さを短くして使用する。
【００４５】
以上、本考案は上記実施例に限定されるものではなく、本考案の技術的範囲に属する限り種々の形態を採り得るものである。また、本考案の技術的思想を逸脱しない範囲において、改変等を加えることができるものであり、それらの改変、均等物等も本考案の技術的範囲に含まれることとなる。
【符号の説明】
【００４６】
１、２０１・・・敷きパッド
２、２０２・・・パッド体
２１、２２１・・・表地
２２、２２２・・・裏地
２３、２２３・・・中綿
２４、２２４・・・バイアステープ
３、２０３・・・ゴム帯
４、２０４・・・スナップボタン（留具）
４１、２４１・・・雄要素
４２、２４２・・・雌要素
５、２０５・・・布団・マットレス
６、２０６・・・端部
７、２０７・・・余剰部分
【図１】
0003218912.tif 000003
【図２】
0003218912.tif 000004
【図３】
0003218912.tif 000005
【図４】
0003218912.tif 000006
【図５】
0003218912.tif 000007
【図６】
0003218912.tif 000008
【図７】
0003218912.tif 000009
【図８】
0003218912.tif 000010
【図９】
0003218912.tif 000011